(57)【要約】【課題】表示装置の視認性の向上を図ることがことが可能な遊技機を提供する。【解決手段】抽選契機の発生に基づいて抽選を実行し、抽選の結果に応じた演出を実行する遊技機において、遊技機は、演出に係る画像を表示する表示面を有する表示装置と、表示面の前方に配置され、表示面の少なくとも一部と重なるように移動可能な可動部材３７と、を備える。可動部材３７は、光源８０ａ，８０ｂが設置された発光基板８０と、発光基板８０に対して表示面の側に配置され、表示面に対向して光を遮る遮光部８２と、を有する。【選択図】図５
2019058556.tif 000002
【特許請求の範囲】
【請求項１】
抽選契機の発生に基づいて抽選を実行し、抽選の結果に応じた演出を実行する遊技機において、
演出に係る画像を表示する表示面を有する表示装置と、
前記表示面の前方に配置され、前記表示面の少なくとも一部と重なるように移動可能な可動部材と、を備え、
前記可動部材は、
光源が設置された発光基板と、
前記発光基板に対して前記表示面の側に配置され、前記表示面に対向して光を遮る遮光部と、を有する、
ことを特徴とする遊技機。
【請求項２】
前記遮光部は、前記表示面の側が光吸収色である、
ことを特徴とする請求項１に記載の遊技機。
【発明の詳細な説明】
【技術分野】
【０００１】
本発明は、遊技機に関する。
【背景技術】
【０００２】
従来、液晶表示装置に表示される画像に連動して、液晶表示装置の前方で動く可動部材を備えるパチンコ機やスロットマシン等の遊技機が知られている。この種の遊技機において、可動部材にＬＥＤ等の光源を搭載し、可動部材が動いたり発光したりすることにより液晶表示装置の演出効果を高めるものが提案されている（特許文献１参照）。
【先行技術文献】
【特許文献】
【０００３】
【特許文献１】特開２０１５−１６００３３号公報
【発明の概要】
【発明が解決しようとする課題】
【０００４】
ところで、上述した遊技機において、可動部材に搭載された光源等の光が液晶表示装置側に照射されると、照射された光が液晶表示装置の表示面で反射して遊技者の目に到達し、液晶表示装置の視認性が低下する虞がある。
【０００５】
そこで本発明は、表示装置の視認性の向上を図ることが可能な遊技機を提供することを目的とするものである。
【課題を解決するための手段】
【０００６】
本発明に係る遊技機（１）は、抽選契機の発生に基づいて抽選を実行し、抽選の結果に応じた演出を実行する遊技機（１）において、
演出に係る画像を表示する表示面（２４ａ）を有する表示装置（２４）と、
前記表示面（２４ａ）の前方に配置され、前記表示面（２４ａ）の少なくとも一部と重なるように移動可能な可動部材（３７）と、を備え、
前記可動部材（３７）は、
光源（８０ａ，８０ｂ）が設置された発光基板（８０）と、
前記発光基板（８０）に対して前記表示面（２４ａ）の側に配置され、前記表示面（２４ａ）に対向して光を遮る遮光部（８２）と、を有する、ことを特徴とする。
【０００７】
また、本発明において、前記遮光部（８２）は、前記表示面（２４ａ）の側が光吸収色である、ことを特徴とする。
【０００８】
なお、上記カッコ内の符号は、図面と対照するためのものであるが、これは、発明の理解を容易にするための便宜的なものであり、特許請求の範囲の構成に何等影響を及ぼすものではない。
【発明の効果】
【０００９】
本発明に係る遊技機は、表示装置の表示面の前方に配置され、光源が設置された発光基板を有する可動部材に、発光基板に対して表示面の側に配置されて表示面に対向する遮光部を設けたので、発光基板の光源から表示面に漏れる光を低減することで、表示面で反射する光を低減することができ、表示装置の視認性の向上を図ることができる。
【図面の簡単な説明】
【００１０】
【図１】本実施形態における遊技機の外観構成を示す斜視図である。
【図２】本実施形態における前面上扉を前方側から視た分解斜視図である。
【図３】本実施形態における可動役物の動作を説明する図で、（Ａ）は左可動体が左端かつ右可動体が右端に位置している状態を示す背面図、（Ｂ）は左可動体及び右可動体が右端に位置している状態を示す背面図である。
【図４】本実施形態における右可動体を示す図で、（Ａ）は前方から視た分解斜視図、（Ｂ）は後方から視た分解斜視図である。
【図５】図３（Ａ）における右可動体のＡ−Ａ断面図である。
【発明を実施するための形態】
【００１１】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。更に、本実施の形態のスロットマシン１を説明する上で、遊技者が対向して着座する側を「前」、その反対側を「後」とし、前側から後側に向かった方向を基準として「左」又は「右」とする。
【００１２】
１．スロットマシンの構成
図１は、本発明の実施形態に係るスロットマシン１の外観構成を示す斜視図である。スロットマシン１は、いわゆる回胴式遊技機と呼ばれるもので、メダルを遊技媒体として用いた遊技を行う種類の遊技機である。
【００１３】
スロットマシン１は、６面体構造のうち遊技者に対向する１面が開口した箱形の筐体１０内の中央部に、外周面に一定間隔で複数種類の図柄が配列された第１リール〜第３リールを備えるリールユニット（不図示）が収められている。また、筐体１０内のリールユニットの下部には、メダルの払出装置としてのホッパーユニット（不図示）が収められている。また、筐体１０内には、ＣＰＵ、ＲＯＭ（情報記憶媒体の一例）、ＲＡＭ等を搭載し、スロットマシン１の動作を制御する主制御基板（不図示）や、各部品に電力を供給するための電源装置及び電源装置のオンとオフとを切り換える主電源スイッチを内蔵した電源ユニット（不図示）等も収められている。
【００１４】
スロットマシン１には、筐体１０の開口する面を被覆する前面上扉６１と前面下扉６２とが、個別に開閉可能に設けられている。前面上扉６１には、上述した第１リール〜第３リールの回転状態及び停止状態を観察可能にする図柄表示窓６３が設けられている。スロットマシン１には、図柄表示窓６３を通じて観察される図柄の表示位置として、各リールについて上段、中段、下段が設けられている。例えば第１リール〜第３リールの停止状態では、各リールの図柄のうち外周面上に連続して配列されている３つの図柄が上段、中段、下段の各表示位置に表示されて、これらの図柄をスロットマシン１の正面から図柄表示窓６３を通じて観察できるようになっている。
【００１５】
また、スロットマシン１は、各リールの上段、中段、下段の表示位置の組合せによって有効ラインが設定されている。スロットマシン１は、１回の遊技を行うために必要となるメダルの数、いわゆる規定投入数が３枚に設定されており、規定投入数に相当するメダルが投入されると、例えば各リールの中段の表示位置によって構成される有効ラインが有効化される。
【００１６】
そして、遊技結果は、図柄表示窓６３内の有効ライン上に停止表示された図柄の組合せによって判定され、有効ライン上の図柄の組合せが予め定められた役に対応した図柄の組合せである場合に、その役が入賞したものとしてホッパーユニットからメダルの払い出し等が行われる。
【００１７】
前面下扉６２の上部には、各種の操作手段が設けられている。操作手段としては、スロットマシン１内に電子的にクレジット（貯留）されたメダルの中から規定投入数のメダルを電子的に投入するマックスベットボタン６６、第１リール〜第３リールを回転させて遊技を開始する契機となる開始操作を遊技者に実行させるためのスタートレバー６７、回転中の第１リール〜第３リールのそれぞれを停止させる契機となる停止操作を遊技者に実行させるためのストップボタンＢ１〜ストップボタンＢ３及び貯留されたメダルを精算して全て排出するための精算ボタン６８が設けられている。
【００１８】
スロットマシン１は、遊技者が規定枚数以上のメダルをメダル投入口６９に投入するか、規定投入数以上のメダルが貯留されている状態でマックスベットボタン６６を押下することで、第１リール〜第３リールの回転制御を開始することが可能な準備状態にセットされる。そして、遊技者がスタートレバー６７を押下すると抽選契機が発生して、主制御基板の制御により、第１リール〜第３リールがステッピングモータで回転開始されると共に、乱数値を用いた内部抽選が行われ、第１リール〜第３リールの回転速度が所定の速度まで上昇し定常回転になってから、ストップボタンＢ１〜ストップボタンＢ３による停止操作が有効化される。
【００１９】
その後、遊技者が任意のタイミングでストップボタンＢ１〜ストップボタンＢ３を押下すると、主制御基板は、ストップボタンＢ１〜ストップボタンＢ３が押下されたタイミング及び内部抽選の結果に応じた停止位置で第１リール〜第３リールを停止させる。
【００２０】
また、主制御基板は、第１リール〜第３リールを停止させた後に、有効ライン上に停止している図柄の組合せ、つまり入賞した図柄の組合せに応じて、各種処理を実行する。主制御基板が実行する各種処理としては、例えば、入賞した図柄の組合せがメダルの払い出しを伴う小役の図柄の組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄の組合せである場合には、規定投入数のメダルを投入状態に設定するリプレイ処理等がある。
【００２１】
前面下扉６２には、各種の操作手段の他に、遊技情報表示部７０や下パネル７１が設けられている。遊技情報表示部７０は、ＬＥＤ、ランプ、７セグメント表示器等からなり、メダルの貯留数、１回の遊技におけるメダルの払出数、ボーナス状態でのメダルの払出数の合計等の各種遊技情報が表示される。下パネル７１は、例えば遊技機のテーマや関連するキャラクタの画像や商品名等が印刷されて、背面側に配置されている光源（不図示）により照明している。
【００２２】
また、前面下扉６２の下部には、不図示のメダル払出口とメダル受け皿７２とが設けられており、遊技の結果に応じた枚数のメダルがメダル払出口からメダル受け皿７２へ払い出されるようになっている。また、例えば、スロットマシン１内にメダルが貯留されている状態で、精算ボタン６８が押下された場合、精算ボタン６８の押下に伴ってホッパーユニットから貯留されたメダルの枚数を排出する精算処理が実行され、ホッパーユニットがメダル払出口からメダル受け皿７２へメダルを排出する。
【００２３】
２．前面上扉の構成
続いて、前面上扉６１の詳細について図２及び図３を用いて説明する。図２は、本実施形態における前面上扉６１を前方側から視た分解斜視図である。図３は、本実施形態における可動役物２７の動作を示す図で、図３（Ａ）は左可動体が左端かつ右可動体が右端に位置している状態を示す背面図、図３（Ｂ）は左可動体及び右可動体が右端に位置している状態を示す背面図である。前面上扉６１は、上下一対の蝶番部材２０を介して筐体１０に連結されると共に、開口を有する枠状に形成されている金属製の金枠２１と、金枠２１の前方に配置され、開口２２ｄを有する枠状に形成されて前面上扉６１の各構成部品が取り付けられる合成樹脂性の樹脂枠２２と、を備え、蝶番部材２０の動作により筐体１０に対して開閉可能に設けられている。
【００２４】
樹脂枠２２の開口２２ｄは、左右方向に延伸して開口２２ｄの左右を接続する分割帯２２ａにより上下に分割されている。樹脂枠２２は、分割帯２２ａの下側に、図柄表示窓６３に対応するリール用開口２２ｃが形成され、分割帯２２ａの上側に、後方から遊技に係る演出として画像を表示するための表示装置２４が取り付けられる表示装置用開口２２ｂが形成されている。リール用開口２２ｃには、前方から透明な板状のリールパネル２３が取り付けられており、遊技者にリールパネル２３を通して各リールを観察可能とすると共に、各リールをリールパネル２３によって保護している。表示装置２４は、例えば液晶ディスプレイから構成され、遊技を補助したり、遊技を盛り上げたりするための演出に係る各種の画像を表示する平面状の表示面２４ａを有する。表示装置２４の前方には、演出を行うための可動役物２７が設けられており、可動役物２７の前方は、表示装置用開口２２ｂと略同じ大きさの透明な板材である保護パネル５５により覆われている。可動役物２７の詳細は後述する。
【００２５】
保護パネル５５の前方には、内装された電飾基板が遊技者等に向けて発光することで遊技を盛り上げる演出を実行するための各電飾装置が設けられており、前面上扉６１の上部には上電飾装置５１が、左部には左電飾装置５２が、右部には右電飾装置５３が、下部にはリール用開口２２ｃの周囲を囲う下電飾装置５４が配置されて、それぞれ樹脂枠２２に取り付けられている。上電飾装置５１の上端と樹脂枠２２の上端とは、可動役物２７の上方を覆う天板５６によって接続されている。また、前面上扉６１は、上電飾装置５１の下端、左電飾装置５２の右端、右電飾装置５３の左端及び下電飾装置５４の上端により、表示装置用開口２２ｂと略同じ大きさの演出表示窓６４（図１参照）が形成され、保護パネル５５を通して表示装置２４及び可動役物２７による演出が観察できるように構成されている。
【００２６】
また、表示装置２４の後方には、副制御基板ユニット２６が取り付けられている。副制御基板ユニット２６には、主制御基板からの信号に応じて、表示装置２４の作動、可動役物２７の作動、並びに各電飾装置の発光等を制御する副制御基板２６ａが収納されている。副制御基板２６ａは、例えば、内部抽選の結果により主制御基板から出力された信号に応じて、可動役物２７を発光及び駆動させる制御信号を出力し、可動役物２７により演出を実行する。
【００２７】
可動役物２７は、樹脂枠２２の前側に固定されるフレーム２８と、表示装置２４に表示される画像に連動して発光したり左右方向へスライド移動したりすることで、表示装置２４による演出効果を高める電飾装置として表示装置２４の前方に配置された右可動体３７（可動部材）及び右可動体３７の左方に設けられた左可動体３６と、左可動体３６及び右可動体３７を左右方向へスライド移動させる駆動装置２９と、を備える。フレーム２８は、演出表示窓６４（図１参照）に対応する開口２８ａと、下部において左右方向に延伸して上方が開放したスライド溝２８ｂと、を有して、枠状に形成されている。左可動体３６及び右可動体３７は、それぞれ信号が入力されると発光する発光基板８０（図４（Ａ）参照）を内装している。左可動体３６及び右可動体３７の詳細は後述する。
【００２８】
駆動装置２９は、フレーム２８の左端から右端に亘って形成されてフレーム２８の上部に取り付けられており、左右方向へ延伸して左可動体３６及び右可動体３７の左右方向へのスライド移動を案内するガイド軸３２と、ガイド軸３２の左右両端に設けられてガイド軸３２をフレーム２８に固定する一対のガイド軸固定部材３４と、駆動装置２９の左端に固定されて左可動体３６を駆動する左モータ３０と、駆動装置２９の右端に固定されて右可動体３７を駆動する右モータ３１と、を備える。左モータ３０の動力は左可動体３６へ、右モータ３１の動力は右可動体３７へ、それぞれベルト３５により伝達される。
【００２９】
右可動体３７は、右可動体３７の上端に設けられて、ガイド軸３２の外径より僅かに大きい内径の穴が左右方向へ延伸するように形成されている右ホルダ８４と、右可動体３７の下端に設けられて、略鉛直方向の軸線を中心に回転自在に支持されている円筒状のローラ８６と、を備えている。右可動体３７は、右ホルダ８４の穴がガイド軸３２に挿入されることにより、上部の上下方向及び前後方向への移動が規制され、ローラ８６がフレーム２８のスライド溝２８ｂ（図２参照）に嵌入されることにより、下部の前後方向への移動が規制されている。また、左可動体３６は、左可動体３６の上端に設けられて、ガイド軸３２の外径より僅かに大きい内径の穴が左右方向へ延伸するように形成されている左ホルダ８３と、左可動体３６の下端に設けられて、略鉛直方向の軸線を中心に回転自在に支持されている円筒状のローラ８６と、を備えている。右可動体３７と同様に、左可動体３６は、左ホルダ８３の穴がガイド軸３２に挿入されることにより、上部の上下前後方向への移動が規制され、ローラ８６がフレーム２８のスライド溝２８ｂに嵌入されることにより、下部の前後方向への移動が規制されている。
【００３０】
右可動体３７は、右ホルダ８４の右端面８４ａが右側のガイド軸固定部材３４に接触する位置から、右ホルダ８４の左端面８４ｂが左ホルダ８３の右端面８３ａに接触する位置まで、左右方向へスライド移動が可能となっている。左可動体３６は、左ホルダ８３の右端面８３ａが右ホルダ８４の左端面８４ｂに接触する位置から、左ホルダ８３の左端面８３ｂが左側のガイド軸固定部材３４に接触する位置まで、左右方向へスライド移動が可能となっている。右可動体３７は、一部が左可動体３６より前方に位置しており、右ホルダ８４の左端面８４ｂが左ホルダ８３の右端面８３ａと接触している場合、右可動体３７と左可動体３６とが前後方向に重なることができるようになっている（図３（Ｂ）参照）。このため、右可動体３７は、左可動体３６と前後方向に重なることができる部分において、左可動体３６より前方に位置して、表示装置２４の表示面２４ａ（図２参照）との間に左可動体３６の一部が入り込むことが可能な空間を形成している。
【００３１】
３．右可動体の構成
以下、右可動体３７の構成について、図４及び図５を用いて説明をする。図４は本実施形態における右可動体３７を示す図で、図４（Ａ）は前方から視た分解斜視図、図４（Ｂ）は後方から視た分解斜視図である。図５は図３（Ａ）における右可動体３７のＡ−Ａ断面図である。
【００３２】
右可動体３７は、発光基板８０と、立体的な形状や塗装等により装飾が施されて発光基板８０を内装する装飾カバー８１と、発光基板８０の後方、即ち発光基板８０に対して表示面２４ａの側に配置されている後面カバー８２（遮光部）と、を備えている。発光基板８０の前面には、前方に向けて発光することで演出を盛り上げる複数のＬＥＤ８０ａ（光源）が設置されており、発光基板８０の後面には、左方に向けて発光することで演出を盛り上げる複数のＬＥＤ８０ｂ（光源）が設置されている。装飾カバー８１は、後面側が開放する開口８１ａを有する箱状に形成されており、少なくとも一部がＬＥＤ８０ａが出力した光を前方へ透過可能な透過部（不図示）を有している。これにより、装飾カバー８１は、ＬＥＤ８０ａが発する光を透過させたり屈折させたりして透過部から前方へ誘導し、遊技者にＬＥＤ８０ａが出力した光を視認させている。
【００３３】
後面カバー８２は、透明度の高い合成樹脂製で、表示面２４ａに対向する板状に形成されており、装飾カバー８１の開口８１ａの略全体を塞ぐように配置されている。右可動体３７は、装飾カバー８１と後面カバー８２とにより箱状の形状が形成されて、内部の空間に発光基板８０が収納されており、装飾カバー８１、後面カバー８２、発光基板８０、右ホルダ８４及びローラ８６等が図示しないネジによって螺合されて締結されることで、一体ユニットとして構成されている。
【００３４】
図５に示すように、後面カバー８２の左端部における後方側の稜線は、略４５°に面取りされてＬＥＤ８０ｂの光を反射する反射面８２ａが形成されている。ＬＥＤ８０ｂから左方に向けて出力された光は、ＬＥＤ８０ｂの左方に形成されている後面カバー８２の左導光部８２ｂの中を左方に進み、反射面８２ａで前方へ向けて方向を変えて、反射面の前方に形成されている前導光部８２ｃから前方（図５のＬ方向）に照射される。前導光部８２ｃは、装飾カバー８１の左端に沿うように装飾カバー８１の左端より左側に配置されて、遊技者から視認可能に形成されている。これにより、後面カバー８２は、ＬＥＤ８０ｂが左方へ出力した光を前方へ誘導し、遊技者にＬＥＤ８０ｂが出力した光を視認させている。
【００３５】
後面カバー８２の後面は、光吸収色の一種である黒色の塗料により塗装されて、ＬＥＤ８０ａ，８０ｂが出力する光を遮る遮光面８２ｄを形成している。このため、後面カバー８２は、表示装置２４の表示面２４ａの側が光吸収色であるといえる。ここで、光吸収色とは、明度が低いことにより可視光領域の波長の光を十分な吸収率で吸収する物体の示す色をいい、完全に光を遮るものでなくてもよく、暗褐色、暗緑色及び紺色等も含まれる。後面カバー８２は、上述の光吸収色の塗料により塗装されて、例えば６０％以上の吸収率で可視光領域の波長の光を吸収するように構成される。可視光領域とは波長が３８０〜７８０ｎｍの範囲である。
【００３６】
また、塗装された遮光面８２ｄは、例えば塗料に含まれる直径０．１ｍｍ以下の微小粒子によって微小な凹凸が形成されており、入射した光が様々な方向へ不規則的に乱反射する乱反射面となっている。後面カバー８２は、後面に光吸収色の塗料により塗装された遮光面８２ｄが形成されていることにより、後面が白色に塗装されていたり透明であったりする場合と比較して、ＬＥＤ８０ａ，８０ｂが出力して表示面２４ａに達する光を減少させている。
【００３７】
また、後面カバー８２は、後面に光吸収色の塗料により塗装された乱反射面である遮光面８２ｄが形成されていることにより、後面カバー８２の後面が白色で塗装されていたり金属光沢を有していたり、滑らかな面で形成されていたりする場合と比較して、表示面２４ａから前方へ向けて発せられて、後面カバー８２の後面で反射する光を減少させると共に、表示面２４ａから前方へ向けて発せられた光が、後面カバー８２の後面で正反射することを防いでいる。なお、反射面８２ａの外側（表示面２４ａの側）は、黒色の塗料により塗装は施されておらず、材料色である透明のままとなっている。これにより、遊技者から前導光部８２ｃが黒色に見えることを防止している。
【００３８】
４．本実施形態のまとめ
以上のように、本実施形態のスロットマシン１は、表示装置２４の表示面２４ａの前方に配置され、ＬＥＤ８０ａ，８０ｂが設置された発光基板８０を有する右可動体３７に、発光基板８０に対して表示面２４ａの側に配置されて表示面２４ａに対向して光を遮る後面カバー８２を設けたので、発光基板８０のＬＥＤ８０ａ，８０ｂから表示面２４ａに漏れる光を低減し、表示面２４ａで反射する光を低減することができ、表示装置２４の視認性の向上を図ることができる。
【００３９】
また、本実施形態のスロットマシン１は、後面カバー８２の表示面２４ａの側が光吸収色であるので、後面カバー８２の表示面２４ａの側が白色や金属色であったり、後面カバー８２が透明であったりする場合と比較して、発光基板８０のＬＥＤ８０ａ，８０ｂから表示面２４ａに漏れる光を低減すると共に、表示面２４ａから発せられて後面カバー８２で反射する光を低減して、表示面２４ａで反射する光を低減することができ、表示装置２４の視認性の向上を図ることができる。
【００４０】
また、本実施形態のスロットマシン１は、後面カバー８２の表示面２４ａの側が入射した光を乱反射する乱反射面となっているので、後面カバー８２の表示面２４ａの側が入射した光を正反射する滑らかな面である場合と比較して、表示面２４ａに表示された画像が後面カバー８２で反射して、表示面２４ａに映りこむことを防止することができ、表示装置２４の視認性の向上を図ることができる。
【００４１】
また、本実施形態のスロットマシン１は、後面カバー８２の後面に塗装が施されているので、左導光部８２ｂ、反射面８２ａ及び前導光部８２ｃにより発光基板８０の後面に設置されているＬＥＤ８０ｂが出力する光を前方へ誘導可能とすることで、右可動体３７の発光の多様性を向上して、遊技者の遊技に対する興趣を向上させることができる。
【００４２】
５．変形例
なお、本実施形態において、スロットマシン１は、後面カバー８２の後面が光吸収色の塗料により塗装が施されて後面カバー８２の後面に遮光面８２ｄが形成されているが、これに限定されない。例えば、スロットマシン１は、後面カバー８２の前面が光吸収色の塗料により塗装が施されていてもよいし、後面カバー８２が光吸収色の合成樹脂で成形されていてもよいし、光吸収色のフィルムがインサート成形されていてもよく、後方、即ち表示面２４ａの側から視て光吸収色であればよい。また、例えば、後面カバー８２は、光吸収色の塗料による塗装の代わりに、めっき、金属蒸着又は光反射色（白色等、明度の高い色）の塗料による塗装等によりＬＥＤ８０ａ，８０ｂから表示面２４ａに漏れる光を低減するように構成されていてもよい。この場合は、ＬＥＤ８０ｂが出力する光が光吸収色の塗料に吸収されて、前導光部８２ｃから前方へ誘導される光量が減少することを防ぐことができる。また、例えば、後面カバー８２は、後面にめっき、金属蒸着又は光反射色の塗料による塗装が施されて、めっき、金属蒸着又は光反射色の塗料による塗装の上から光吸収色の塗料で塗装が施されていてもよい。この場合は、ＬＥＤ８０ｂが出力する光が光吸収色の塗料に吸収されて、前導光部８２ｃから前方へ誘導される光量が減少することを防ぐことができると共に、表示面２４ａから前方へ向けて発せられた光が後面カバー８２で反射する光を低減することができる。
【００４３】
また、本実施形態において、スロットマシン１は、反射面８２ａの外側が材料色である透明のままであるように構成されているが、これに限定されない。例えば、スロットマシン１は、後面カバー８２の後面に反射面８２ａの外側を含むものとし、反射面８２ａの外側が光吸収色の塗料により塗装が施されているように構成されていてもよい。これにより、ＬＥＤ８０ａ，８０ｂから表示面２４ａに漏れる光をさらに低減することができる。また、例えば、反射面８２ａの外側にめっき、金属蒸着又は光反射色の塗料による塗装が施されるように構成されていてもよい。これにより、ＬＥＤ８０ａ，８０ｂから表示面２４ａに漏れる光を低減しつつ、ＬＥＤ８０ｂから出力された光のうち、前導光部８２ｃから前方に照射される光の割合を多くすることができる。また、例えば、反射面８２ａの外側にめっき、金属蒸着又は光反射色の塗料による塗装が施されて、めっき、金属蒸着又は光反射色の塗料による塗装の上から光吸収色の塗料で塗装が施されるように構成されていてもよい。この場合は、更に、表示面２４ａから前方へ向けて発せられた光が後面カバー８２で反射する光を低減することができる。
【００４４】
また、本実施形態において、スロットマシン１は、後面カバー８２の後面が微小粒子を含む塗料により塗装が施されて、後面カバー８２の後面が乱反射面となっているが、これに限定されない。例えば、スロットマシン１は、後面カバー８２の後面が塗装前の状態で凹凸を有する形状に形成されていてもよい。
【００４５】
また、本実施形態において、スロットマシン１は、後面カバー８２が表示面２４ａに対向する板状に形成されているが、これに限定されない。例えば、スロットマシン１は、後面カバー８２の底面が表示面２４ａに対向すると共に前面側が開放する箱状に形成されていてもよい。その場合には、発光基板８０が後面カバー８２の内部の空間に収納されて、装飾カバー８１は後面カバー８２の前面側を塞ぐ板状に形成されていてもよい。
【００４６】
また、本実施形態において、スロットマシン１は、後面カバー８２が表示面２４ａに対向する板状に形成されて、装飾カバー８１の後面の開口８１ａの略全体を塞ぐように構成されているが、これに限定されない。例えば、スロットマシン１は、後面カバー８２が、装飾カバー８１の後面の開口８１ａの一部を塞ぐように構成されていてもよく、ＬＥＤ８０ａ，８０ｂから出力されて表示面２４ａ側へ漏れる光を低減することができるものであればよい。
【００４７】
また、本実施形態において、スロットマシン１は、右可動体３７が表示装置２４の前方に配置されて左右方向に移動するように構成されているが、これに限定されない。例えば、スロットマシン１は、発光基板８０及び後面カバー８２を有する可動体が上下方向に移動したり回転移動したりするように構成されていてもよいし、このような可動体が複数設けられていてもよい。また、例えば、右可動体３７は、正面視において表示装置２４と重ならない位置から表示装置２４と重なる位置でかつ表示装置２４の前方に移動可能なものであってもよい。
【００４８】
また、本実施形態においては、遊技機の一例である、メダルを遊技媒体として用いた遊技を行うスロットマシンを例にして説明したが、本発明は、遊技球を遊技媒体として用いた遊技を行うスロットマシンや、入賞口への入球を抽選契機とした抽選が実行されるパチンコ機を含む弾球遊技機等の各種の遊技機に適用可能である。
【符号の説明】
【００４９】
１      スロットマシン（遊技機）
２４    表示装置
２４ａ  表示面
３７    右可動体（可動部材）
８０    発光基板
８０ａ  ＬＥＤ（光源）
８０ｂ  ＬＥＤ（光源）
８２    後面カバー（遮光部）
【図１】
2019058556.tif 000003
【図２】
2019058556.tif 000004
【図３】
2019058556.tif 000005
【図４】
2019058556.tif 000006
【図５】
2019058556.tif 000007